(57)【要約】【課題】  表示される情報を見易くする。【解決手段】  情報管理サーバ２は、表示縮尺や、表示内容、精度選定処理で選定された精度等に基づいて、格子を生成し、求められた乱数値を用い、剰余演算後、対応する番号の分割領域１５ａ（１５ｂ，１５ｃ）を情報の表示位置として選択する。また、情報管理サーバ２は、基地局位置・移動端末位置（ＧＰＳ位置）間の距離Ｌ１（Ｌ２，Ｌ３，…，Ｌｎ）を算出し、算出した多数の距離に基づいて、精度（誤差）を算出する。また、情報管理サーバ２は、記憶部の精度情報記憶領域から、乱数種を計算する時刻に最も近い過去の時刻の精度を選定する。【選択図】  図１
2011172080.tif 000002
【特許請求の範囲】
【請求項１】
ネットワークを介して移動端末に接続され、前記移動端末から、前記移動端末の最寄りの基地局の位置情報が付加された送付情報を取得し、前記位置情報に基づいて、前記送付情報に対応する表示情報を生成する情報管理装置であって、
前記基地局の通信エリア内の領域に対応する地図画面上の表示領域に、前記送付情報又はその対応情報を表示位置を分散化させて表示させるための表示位置分散化手段を備えた
ことを特徴とする情報管理装置。
【請求項２】
ＧＰＳ受信機能を有する前記移動端末に接続され、前記移動端末から、前記位置情報とともに、受信したＧＰＳ信号に基づいて生成され、前記移動端末の位置を示すＧＰＳ位置情報が付加された前記送付情報を取得し、
前記位置情報と前記ＧＰＳ位置情報とに基づいて、前記基地局と前記移動端末との間の距離を算出する距離算出手段と、算出した複数の前記距離に基づいて、前記移動端末の位置情報としての前記位置情報の精度を算出する精度算出手段とを備えたことを特徴とする請求項１に記載の情報管理装置。
【請求項３】
前記表示位置分散化手段は、擬似乱数を発生させる乱数発生手段を有し、前記乱数発生手段によって得られた乱数値と前記精度とに基づいて、前記送付情報又は前記対応情報の表示位置を選定し、
当該情報管理装置は、擬似乱数を発生させるための乱数種を設定する時刻に最も近い過去の時刻における精度を、前記送付情報又は前記対応情報の表示位置を選定するための前記精度として選定する精度選定手段を備えたことを特徴とする請求項１又は２に記載の情報管理装置。
【請求項４】
ネットワークを介してＧＰＳ受信機能を有する移動端末に接続され、前記移動端末から、前記移動端末の最寄りの基地局の位置情報と、受信したＧＰＳ信号に基づいて生成され、前記移動端末の位置を示すＧＰＳ位置情報とを取得する情報管理装置であって、
前記位置情報と前記ＧＰＳ位置情報とに基づいて、前記基地局と前記移動端末との間の距離を算出する距離算出手段と、算出した複数の前記距離に基づいて、前記移動端末の位置情報としての前記位置情報の精度を算出する精度算出手段とを備えたことを特徴とする情報管理装置。
【発明の詳細な説明】
【技術分野】
【０００１】
この発明は、例えば、災害情報報知システムにおいて用いられ、携帯電話機等の移動端末から取得した位置情報を含む災害報告情報に基づいて、災害報告情報に対応する表示情報を生成するための情報管理装置に関する。
【背景技術】
【０００２】
従来より、移動通信システムにおける携帯電話機等の移動端末から、位置情報を取得して、種々のサービスを提供する提案がなされている。例えば、移動通信システムに接続したＷＷＷサーバが、地図上に位置情報に対応した災害報告情報等を表示させることによって、大地震等の災害が発生した場合の災害復旧の際に役立てることができる。この場合、災害報告情報等は、緯度及び経度によって指定される点に表示される。
【０００３】
ところで、最近、携帯電話機等の移動端末には、ＧＰＳ（Ｇｌｏｂａｌ  Ｐｏｓｉｔｉｏｎｉｎｇ  Ｓｙｓｔｅｍ）信号受信機能が搭載されたものがあり、受信したＧＰＳ信号に基づいて、移動端末の位置情報（緯度及び経度）が生成され、その精度は、１０ｍ程度である。また、ＲＴＫ（Ｒｅａｌ  Ｔｉｍｅ  Ｋｉｎｅｍａｔｉｃ）方式（動的干渉測位方式）を用いると、数ｃｍの精度が得られる。また、複数の基地局からの電波の受信レベルに基づいて、移動端末の位置を特定する技術が提案されている（例えば、特許文献１参照。）。
【０００４】
一方、ＧＰＳ信号受信機能を有していない移動端末では、移動端末の最寄りの基地局の位置情報を送信し、地図画面上への情報の表示位置として用いることができる。この場合、誤差は例えば数ｋｍとなる。
【先行技術文献】
【特許文献】
【０００５】
【特許文献１】特開平７−３８９４８号公報
【発明の概要】
【発明が解決しようとする課題】
【０００６】
上記従来技術では、地図画面上への情報の表示位置として、基地局の位置情報を用いる場合に、同じ位置に情報が重なって表示される。すなわち、複数の表示情報が、本来は別の位置の情報であるにもかかわらず、同じ位置に表示されてしまう。このため、情報が隠れてしまい、情報の把握が困難となるという問題がある。また、移動端末の最寄りの基地局のカバーエリア（すなわち、精度）を正確に把握できないという問題がある。
【０００７】
この発明は、前記の課題を解決し、表示される情報を見易くし、情報の視認性を向上させることができる情報管理装置を提供することを第１の目的としている。
【０００８】
また、この発明は、前記の課題を解決し、基地局の正確なカバーエリアを把握することができる情報管理装置を提供することを第２の目的としている。
【課題を解決するための手段】
【０００９】
前記の課題を解決するために、請求項１の発明は、ネットワークを介して移動端末に接続され、前記移動端末から、前記移動端末の最寄りの基地局の位置情報が付加された送付情報を取得し、前記位置情報に基づいて、前記送付情報に対応する表示情報を生成する情報管理装置であって、前記基地局の通信エリア内の領域に対応する地図画面上の表示領域に、前記送付情報又はその対応情報を表示位置を分散化させて表示させるための表示位置分散化手段を備えたことを特徴としている。
【００１０】
請求項２の発明は、請求項１に記載の情報管理装置であって、ＧＰＳ受信機能を有する前記移動端末に接続され、前記移動端末から、前記位置情報とともに、受信したＧＰＳ信号に基づいて生成され、前記移動端末の位置を示すＧＰＳ位置情報が付加された前記送付情報を取得し、前記位置情報と前記ＧＰＳ位置情報とに基づいて、前記基地局と前記移動端末との間の距離を算出する距離算出手段と、算出した複数の前記距離に基づいて、前記移動端末の位置情報としての前記位置情報の精度を算出する精度算出手段とを備えたことを特徴としている。
【００１１】
請求項３の発明は、請求項１又は２に記載の情報管理装置であって、前記表示位置分散化手段は、擬似乱数を発生させる乱数発生手段を有し、前記乱数発生手段によって得られた乱数値と前記精度とに基づいて、前記送付情報又は前記対応情報の表示位置を選定し、当該情報管理装置は、擬似乱数を発生させるための乱数種を設定する時刻に最も近い過去の時刻における精度を、前記送付情報又は前記対応情報の表示位置を選定するための前記精度として選定する精度選定手段を備えたことを特徴としている。
【００１２】
請求項４の発明は、ネットワークを介してＧＰＳ受信機能を有する移動端末に接続され、前記移動端末から、前記移動端末の最寄りの基地局の位置情報と、受信したＧＰＳ信号に基づいて生成され、前記移動端末の位置を示すＧＰＳ位置情報とを取得する情報管理装置であって、前記位置情報と前記ＧＰＳ位置情報とに基づいて、前記基地局と前記移動端末との間の距離を算出する距離算出手段と、算出した複数の前記距離に基づいて、前記移動端末の位置情報としての前記位置情報の精度を算出する精度算出手段とを備えたことを特徴としている。
【発明の効果】
【００１３】
請求項１の発明によれば、同一の位置情報に対応して複数の送付情報が得られた場合に、送付情報を画面上に分散化させて表示させることができるので、地図画面上への送付情報の表示位置として、基地局の位置情報を用いる場合でも、送付情報が同じ位置に重なって表示されることがないので、表示される情報を見易くし、情報の視認性を向上させることができる。
【００１４】
請求項４の発明によれば、精度算出手段が、移動端末の位置情報としての基地局の位置情報の精度を算出するので、基地局の位置情報を、移動端末の位置情報として用いる場合の誤差を修正して、基地局の正確な通信エリアを把握することができる。
【図面の簡単な説明】
【００１５】
【図１】この発明の実施の形態１による災害情報報知システムの構成を説明するための説明図である。
【図２】同災害情報報知システムの情報管理サーバの構成を示すブロック図である。
【図３】同情報管理サーバの記憶部の構成を示すブロック図である。
【図４】同情報管理サーバの機能を説明するための説明図である。
【図５】同情報管理サーバの記憶部の位置情報記憶領域の記憶内容を説明するための説明図である。
【図６】同情報管理サーバの記憶部の精度情報記憶領域の記憶内容を説明するための説明図である。
【図７】同災害情報報知システムの機能を説明するための説明図である。
【図８】同災害情報報知システムの移動端末の構成を示すブロック図である。
【図９】同災害情報報知システムのユーザ端末の構成を示すブロック図である。
【図１０】同ユーザ端末の表示部の表示内容を説明するための説明図である。
【図１１】同ユーザ端末の表示部の表示内容を説明するための説明図である。
【図１２】この発明の実施の形態２による災害情報報知システムの情報管理サーバの機能を説明するための説明図である。
【図１３】この発明の実施の形態３による災害情報報知システムの情報管理サーバの機能を説明するための説明図である。
【図１４】同情報管理サーバの記憶部のカバーエリア情報記憶領域の記憶内容を説明するための説明図である。
【発明を実施するための形態】
【００１６】
次に、この発明の実施の形態について、図面を用いて詳しく説明する。
【００１７】
（実施の形態１）
図１は、この発明の実施の形態１による災害情報報知システムの構成を説明するための説明図、図２は、同災害情報報知システムの情報管理サーバの構成を示すブロック図、図３は、同情報管理サーバの記憶部の構成を示すブロック図、図４は、同情報管理サーバの機能を説明するための説明図、図５は、同情報管理サーバの記憶部の位置情報記憶領域の記憶内容を説明するための説明図、図６は、同情報管理サーバの記憶部の精度情報記憶領域の記憶内容を説明するための説明図、図７は、同災害情報報知システムの機能を説明するための説明図、図８は、同災害情報報知システムの移動端末の構成を示すブロック図、図９は、同災害情報報知システムのユーザ端末の構成を示すブロック図、図１０は、同ユーザ端末の表示部の表示内容を説明するための説明図、図１１は、同ユーザ端末の表示部の表示内容を説明するための説明図である。
【００１８】
図１に示すように、この実施の形態の災害情報報知システム１は、例えば、大地震等の災害が発生した場合の災害復旧の際に用いられ、ＷＷＷサーバとしての情報管理サーバ２が、被害情報の報告者が用いる移動端末３，３，…と、移動通信網を含む通信ネットワーク４を介して接続可能とされ、かつ、ユーザが用いるユーザ端末５と接続可能とされて概略構成されている。
【００１９】
ここで、移動端末３は、ＧＰＳ受信機能を有する端末を含んでいる。また、情報管理サーバ２と通信ネットワーク４との間には、ルータ６が介在し、情報管理サーバ２とユーザ端末５との間には、Ｌ２ＳＷ（ｌａｙｅｒ  ２  ｓｗｉｔｃｈ）７が介在している。情報管理サーバ２は、移動端末３，３，…から位置情報を含む災害報告情報を取得し、表示情報を生成してユーザ端末５へ供給する。なお、Ｌ２ＳＷ７は、レイヤ２（データリンク層）でルーティング処理を行うスイッチからなっている。
【００２０】
情報管理サーバ２は、図２に示すように、所定の制御プログラムに従って構成各部を制御する制御部９と、各種制御プログラムやデータが記憶される記憶部１１と、所定のプロトコルに従ってデータ通信を行うための通信部１２とを有している。
【００２１】
制御部９は、ＣＰＵ（Ｃｅｎｔｒａｌ  Ｐｒｏｃｅｓｓｉｎｇ  Ｕｎｉｔ）等からなり、記憶部１１に記憶された所定の制御プログラムに従って構成各部を制御する。情報管理サーバ２においては、例えば、災害報告情報取得処理や、表示情報生成処理、精度算出処理、精度選定処理、表示情報供給処理等が実行される。
【００２２】
情報管理サーバ２は、災害報告情報取得処理で、移動端末３から取得した災害報告情報を、災害報告情報記憶領域１４ａに記憶する。災害報告情報は、災害内容情報（送付情報）のほか、発生位置情報や時刻情報を含んでいる。ここで、ＧＰＳ受信機能を有する移動端末３から送信されてきた発生位置情報は、基地局位置情報及び高精度のＧＰＳ位置情報を含んでいる。基地局位置情報は、移動端末３に最寄りの基地局８の緯度情報及び経度情報からなっている（図７参照）。また、ＧＰＳ位置情報は、ＧＰＳ衛星から受信したＧＰＳ信号に基づいて算出された移動端末３の緯度情報及び経度情報からなっている。時刻情報は、災害報告情報の収集時刻を含んでいる。なお、時刻情報は、災害の発生時刻を含んでいても良い。
【００２３】
表示情報生成処理は、表示画面を格子状に分割するための格子生成処理と、地図上に災害内容情報を基地局８のカバーエリア（通信エリア）内でその表示位置を分散化させて（ばらつかせて）表示させるための表示位置分散化処理とを含んでいる。情報管理サーバ２は、格子生成処理で、表示縮尺や、表示内容、精度選定処理で選定された精度等に基づいて、図４に示すように格子を生成する。情報管理サーバ２は、表示内容として、例えば、アイコン等のマークのみを表示する場合や、２０文字程度の情報を表示する場合、５０文字程度のメモ等の情報を表示する場合に対応させて、格子を生成する。
【００２４】
例えば、図４（ａ）は、３×３の分割領域１５ａ，１５ａ，…に格子状に分割する場合を、図４（ｂ）は、５×５の分割領域１５ｂ，１５ｂ，…に格子状に分割する場合を、図４（ｃ）は、７×７の分割領域１５ｃ，１５ｃ，…に格子状に分割する場合をそれぞれ示す。情報管理サーバ２は、基地局８のカバーエリアＲａ内に情報を表示させる場合には、十分表示可能なように分割して格子を生成する（図７参照）。
【００２５】
例えば、１つの分割領域１５ａ（１５ｂ，１５ｃ）に、表示する情報を５０ドットとし、この分割領域１５ａ（１５ｂ，１５ｃ）のサイズが地図の縮尺から４００ｍに相当する場合で、基地局８の位置情報の誤差が１ｋｍのときは、図４（ｂ）に示すように、５×５の分割領域１５ｂ，１５ｂ，…に格子状に分割すれば良いこととなる。
【００２６】
表示位置分散化処理は、乱数発生処理を含んでいる。情報管理サーバ２は、乱数発生処理で、発生位置情報（緯度情報及び経度情報）と時刻情報とに基づいて、乱数種ＳＥＥＤを求め、擬似乱数を発生させる。例えば、Ｃ言語においては、乱数種設定のために関数ｓｒａｎｄ（）を、擬似乱数発生のために関数ｒａｎｄ（）を用いる。ここで、情報管理サーバ２は、乱数種ＳＥＥＤを、式（１）によって設定する。なお、式（１）で、発生位置情報の緯度情報をＡＡＡ度ＢＢ分ＣＣ．ＤＤＤ秒、経度情報をＥＥＥ度ＦＦ分ＨＨ．ＪＪＪ秒、時刻情報をａａａａ年ｂｂ月ｃｃ日ｄｄ時ｅｅ分ｆｆ．ｈｈｈ秒としている。
ＳＥＥＤ＝（ＡＡＡ×１００×１００×１０００＋ＢＢ×１００×１０００
＋ＣＣ×１０００＋ＤＤＤ）
＋（ＥＥＥ×１００×１００×１０００＋ＦＦ×１００×１０００
＋ＨＨ×１０００＋ＪＪＪ）
＋（ａａａａ×１００×１００×１００×１００×１００×１０００
＋ｂｂ×１００×１００×１００×１００×１０００
＋ｃｃ×１００×１００×１００×１０００
＋ｄｄ×１００×１００×１０００＋ｅｅ×１００×１０００
＋ｆｆ×１０００＋ｈｈｈ）                                        （１）
【００２７】
情報管理サーバ２は、求められた乱数値を用い、剰余演算を行った後、対応する番号（例えば、図４（ａ）においては、「１」〜「２５」）の分割領域１５ａ（１５ｂ，１５ｃ）を情報の表示位置として選択する。図４（ｂ）に示すように５×５の分割領域１５ｂ，１５ｂ，…に格子状に分割する場合で、計算結果として、例えば、番号「１０」が得られたときは、上から２行目の右端に情報を表示する。なお、番号「５」の分割領域１５ａを基地局８の位置に対応させる。
【００２８】
また、表示情報が、分割領域１５ａ（１５ｂ，１５ｃ）の数よりも多い場合は、同じ場所に、新しい情報が古い情報に重ねられるが、最新の表示情報から分割領域１５ａ（１５ｂ，１５ｃ）の数だけ古いものから表示させるようにしても良いし、重ねられても古い情報が完全に隠れない場合には、古い情報も残しておいても良い。
【００２９】
情報管理サーバ２は、精度算出処理で、基地局位置・移動端末位置（ＧＰＳ位置）間の距離を算出し、図５に示すように、記憶部１１の位置情報記憶領域１４ｂに記憶し、算出した多数の距離に基づいて、精度（誤差）を算出する。ここで、基地局位置（緯度、経度）は、移動端末３が同一の基地局に属している場合は、同一となる。情報管理サーバ２は、例えば、距離の平均を求め、求めた平均を２倍して精度として算出し、図６に示すように、精度情報記憶領域１４ｃに記憶する。
【００３０】
また、情報管理サーバ２が、距離の最大値を精度として求めても良いし、距離の標準偏差を求め、この標準偏差に定数（例えば、３）を掛けて精度として求めても良い。こうして、基地局８の緯度情報及び経度情報を発生位置情報として用いる場合の誤差の修正がなされ、正確なカバーエリアが推定される。情報管理サーバ２は、カバーエリアの半径の初期値が例えば２ｋｍであっても、運用の過程で、１ｋｍの範囲であることが推定できた場合に、基地局を中心とし半径１ｋｍの範囲内で表示位置を分散させる。こうして、基地局毎に、その緯度及び経度の誤差の修正が可能となる。なお、基地局８は、追加、削除、移動の可能性があるため、精度算出処理は、直近の時刻のもののみで実施される。
【００３１】
精度選定処理は、精度算出処理実行のタイミングによる、表示中の情報表示位置の変化を回避するために実行される。情報管理サーバ２は、精度選定処理で、精度情報記憶領域１４ｃから、乱数種を計算する時刻に最も近い過去の時刻の精度を選定する。例えば、乱数種を計算する時刻が、時刻Ｔ１より新しく時刻Ｔ２より古い時刻であるとすると、時刻Ｔ１を求めて対応する精度を、採用すべき精度として選定する。情報管理サーバ２は、格子生成処理において、選定された精度に対応する格子を選択する。これにより、格子は変化せず、情報の表示位置も変化しない。
【００３２】
また、この乱数種の算出に用いる時刻を、他のユーザと共有することにより、他のユーザの用いるユーザ端末の表示部にも、同じ画面が表示されるため、わかりやすい情報共有が可能となる。したがって、各種機関（都道府県や、市町村、消防、水防団等）が、共同で災害対策を実施する場合に適用して好適である。
【００３３】
情報管理サーバ２は、表示情報供給処理で、要求に応じて、生成した表示情報をユーザ端末５へ送信する。
【００３４】
記憶部１１は、図３に示すように、各種プログラムを記憶するプログラム記憶部１３と、各種情報を記憶する情報記憶部１４とを有している。記憶部１１のプログラム記憶部は、災害報告情報取得処理プログラムを記憶する記憶領域と、表示情報生成処理プログラムを記憶する記憶領域と、精度算出処理プログラムを記憶する記憶領域と、精度選定処理プログラムを記憶する記憶領域と、表示情報供給処理プログラムを記憶する記憶領域とを有している。
【００３５】
また、記憶部１１の情報記憶部は、災害報告情報を記憶する災害報告情報記憶領域１４ａと、位置情報を記憶する位置情報記憶領域１４ｂと、精度情報を記憶する精度情報記憶領域１４ｃと、地図情報を記憶する地図情報記憶領域（不図示）とを有している。
【００３６】
災害報告情報記憶領域１４ａには、災害報告内容に、発生位置情報と時刻情報とが対応付けられて記憶されている。発生位置情報は、基地局位置情報及びＧＰＳ位置情報を含んでいる。
【００３７】
位置情報記憶領域１４ｂには、図５に示すように、発生時刻Ｔ１（Ｔ２，Ｔ３，…，Ｔｎ）に対応付けて、発生位置としての基地局位置（緯度、経度）Ｋ１（Ｋ２，Ｋ３，…，Ｋｎ）と、移動端末位置（ＧＰＳ位置（緯度、経度））Ｇ１（Ｇ２，Ｇ３，…，Ｇｎ）と、基地局位置・移動端末位置（ＧＰＳ位置）間の距離Ｌ１（Ｌ２，Ｌ３，…，Ｌｎ）とが記憶されている。
【００３８】
精度情報記憶領域１４ｃには、図６に示すように、発生時刻Ｔ１（Ｔ２，Ｔ３，…，Ｔｎ）に対応付けて、基地局位置（緯度、経度）Ｋ１（Ｋ２，Ｋ３，…，Ｋｎ）と、精度算出処理で求められた精度Ｍ１１（Ｍ１２，…，Ｍｎ１，Ｍｎ２）とが記憶されている。
【００３９】
地図情報を記憶する記憶領域には、位置（緯度、経度）を示す位置情報と、位置情報に対応付けられた地図画像情報とを含む地図情報が記憶されている。
【００４０】
この実施の形態の移動端末３は、図８に示すように、例えば、携帯電話機から構成され、所定の制御プログラムに従って構成各部を制御する制御部１６と、各種制御プログラムやデータが記憶される記憶部１７と、アンテナ１８と、所定のプロトコルに従ってデータ通信を行うための無線通信部１９と、アンテナ２１と、ＧＰＳ受信部２２と、各種キーを含む操作部２３と、液晶ディスプレイ等からなる表示部２４と、電子カメラユニットを含む撮像部２５と、スピーカを含む音声出力部２６と、送話部２７と、受話部２８とを有している。移動端末３としては、携帯電話機のほか、無線通信機能を有するノート型パーソナルコンピュータや、スマートフォン等であっても良い。
【００４１】
この実施の形態の移動端末３は、必ずしもＧＰＳ受信機能を有していなくても良い。図８に示すＧＰＳ受信機能を有する移動端末３は、発生位置情報として、基地局位置情報のほかに、高精度のＧＰＳ位置情報を情報管理サーバ２へ送信する。
【００４２】
ユーザ端末５は、図９に示すように、例えば、パーソナルコンピュータから構成され、所定の制御プログラムに従って構成各部を制御する制御部３１と、ブラウザ等を含む各種プログラムやデータが記憶される記憶部３２と、所定のプロトコルに従ってデータ通信を行う通信部３３と、データの入力や指示を行うためのマウス及びキーボードからなる操作部３４と、例えば液晶ディスプレイ等からなる表示部３５とを有している。
【００４３】
ユーザ端末５は、情報管理サーバ２へ災害報告情報に関する表示情報の供給を要求し受信する。ユーザ端末５が表示情報を受信すると、表示部３５には、図１０に示すように、災害情報種別（対応情報）を示すアイコン３６ａ，３６ｂ，…が表示される。ここで、アイコン３６ａは人的被害関連情報、アイコン３６ｂは建物被害関連情報、アイコン３６ｃは火災関連情報、アイコン３６ｄは河川砂防関連情報、アイコン３６ｅは道路交通関連情報、アイコン３６ｆはライフライン関連情報、アイコン３６ｇは避難関連情報、アイコン３６ｈはその他情報を示している。
【００４４】
また、図１１に示すように、所定の表示領域３７に、枠内に災害内容を示す文字情報が表示された文字表示部３８ａ，３８ｂ，…を配置しても良い。
【００４５】
次に、上記構成の災害情報報知システムの動作について説明する。
【００４６】
情報管理サーバ２は、災害報告情報取得処理で、移動端末３から取得した災害報告情報を、災害報告情報記憶領域１４ａに記憶する。
【００４７】
また、情報管理サーバ２は、格子生成処理で、表示縮尺や、表示内容、精度選定処理で選定された精度等に基づいて、格子を生成し、表示位置分散化処理で、求められた乱数値を用い、剰余演算後、対応する番号の分割領域１５ａ（１５ｂ，１５ｃ）を情報の表示位置として選択する。
【００４８】
また、情報管理サーバ２は、精度算出処理で、基地局位置・移動端末位置（ＧＰＳ位置）間の距離を算出し、算出した多数の距離に基づいて、精度（誤差）を算出する。
【００４９】
また、情報管理サーバ２は、精度選定処理で、精度情報記憶領域１４ｃから、乱数種を計算する時刻に最も近い過去の時刻の精度を選定する。
【００５０】
また、情報管理サーバ２は、表示情報供給処理で、要求に応じて、生成した表示情報をユーザ端末５へ送信する。
【００５１】
ユーザ端末５においては、表示部３５に、例えば、図１０に示すように、災害情報種別を示すアイコン３６ａ，３６ｂ，…が表示される。
【００５２】
なお、図７に示すように、位置Ｐを中心とする検索エリアＲｂ内の位置を発生位置とする情報を検索する場合に、従来技術では、基地局８のカバーエリアＲａ内の移動端末３は、基地局８の位置情報しか送らないので、移動端末３がたとえ検索エリアＲｂ内にあっても、移動端末３の位置を発生位置とする情報は検索対象外である（ヒットしない。）が、この実施の形態によれば、カバーエリアＲａと検索エリアＲｂとは重なるので、検索対象となる（ヒットする。）。また、図１０は、ユーザ端末５において、表示部３５の画面全体に、情報管理サーバ２から受信した表示情報を表示させた場合を示し、図１１は、表示部３５の画面の一部に表示領域３７を設けて情報を表示させた場合を示す。
【００５３】
こうして、この実施の形態の構成によれば、情報管理サーバ２は、格子生成処理で、表示縮尺や、表示内容、精度選定処理で選定された精度等に基づいて、格子を生成し、表示位置分散化処理で、求められた乱数値を用いて、剰余演算後、対応する番号の分割領域１５ａ（１５ｂ，１５ｃ）を情報の表示位置として選択するので、地図画面上への情報の表示位置として、基地局８の位置情報を用いる場合でも、情報が同じ位置に重なって表示されることがないので、表示される情報を見易くし、視認性を向上させることができる。
【００５４】
また、情報管理サーバ２は、精度算出処理で、基地局位置・移動端末位置（ＧＰＳ位置）間の距離を算出し、算出した多数の距離に基づいて、精度（誤差）を算出するので、基地局８の緯度情報及び経度情報を発生位置情報として用いる場合の誤差を修正して、基地局８の正確なカバーエリアを把握することができる。こうした誤差の修正は、運用の過程で自動的になされるので、システム構築費用を低減することができる。
【００５５】
また、情報管理サーバ２は、精度選定処理で、精度情報記憶領域１４ｃから、乱数種を計算する時刻に最も近い過去の時刻の精度を選定するので、精度算出処理実行のタイミングによって、表示中の情報表示位置が変化することを回避することができる。したがって、一段と視認性を向上させることができる。
【００５６】
（実施の形態２）
図１２は、この発明の実施の形態２による災害情報報知システムの情報管理サーバの機能を説明するための説明図である。
【００５７】
図１２に示すように、この実施の形態の情報管理サーバは、基地局４１，４２のカバーエリアＳｂ，Ｓｃを、それぞれ、移動端末４３，４４の配置状態から、所定の領域Ｓａの組み合わせとして推定する。移動端末４３，４４の表示位置は、移動端末４３，４４の位置情報（緯度及び経度）に基づいてプロットされる。カバーエリアＳｂ，Ｓｃを求めた後、カバーエリアＳｂ，Ｓｃの面積に最も近い円をカバーエリアとしても良い。この場合、円の半径を記憶すれば、その形状を記憶する必要はない。
【００５８】
この実施の形態の構成によれば、上述した実施の形態１と略同様の効果を得ることができる。
【００５９】
（実施の形態３）
図１３は、この発明の実施の形態３による災害情報報知システムの情報管理サーバの機能を説明するための説明図、図１４は、同情報管理サーバの記憶部のカバーエリア情報記憶領域の記憶内容を説明するための説明図である。
【００６０】
図１３に示すように、この実施の形態の情報管理サーバは、基地局４６，４７ａ，４７ｂ，…が配置されている場合に、基地局４６のカバーエリアを、ボロノイ分割（ティーセン分割）の手法によって、分割線Ｋａ，Ｋｂ，…によって区画された領域Ｗとして求める。実際には、山や建物等の遮蔽物によってカバーエリアは異なったものとなるので、情報管理サーバは補正処理を施す。
【００６１】
この実施形態の情報管理サーバの記憶部には、図１４に示すように、基地局毎に等価半径や補正半径が記憶されたカバーエリア情報記憶領域４８が設けられている。山や建物等の影響がなく、人口等の移動端末の利用者状況も差がないものとすると、カバーエリアは、面積Ａ１（Ａ２，Ａ３，…）に基づいて、図１４に示すような等価半径の円状領域として求められる。移動端末の利用者状況は、隣接基地局であれば同一と考えることができる。移動端末の利用者状況が同一でも、移動端末数の比率が異なる場合には、基地局のカバーエリアが移動端末数に比例して大きいか又は小さいと考えられる。
【００６２】
このことから、移動端末数Ｎ１（Ｎ２，Ｎ３，…）に基づいて、図１４に示すような補正半径を求め、カバーエリアをこの補正半径の円状領域として求める。この補正は、全基地局について行う。なお、図１４において、（ΣＡ＝Ａ１＋Ａ２＋…）、（ΣＮ＝Ｎ１＋Ｎ２＋…）である。また、カバーエリアの面積を、川や湖等の箇所を削除したり、イベントの影響を削除した移動端末数としても良い。さらに、図１４を、基地局の移動端末数を管理して、基地局の増強や新設の計画のために用いても良い。
【００６３】
この実施の形態の構成によれば、上述した実施の形態１と略同様の効果を得ることができる。
【００６４】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。上述した実施の形態では、例えば、災害報告情報取得処理や、表示情報生成処理、精度算出処理、精度選定処理、表示情報供給処理等を、ＣＰＵ等からなる制御部が、対応する制御プログラムを実行することでその機能を達成する場合について述べたが、一部又は全部の機能を専用のハードウェアを用いて行い、他の一部を対応するプログラムを実行して処理するようにしても良い。また、各機能は、それぞれ別々のＣＰＵ等が実行しても良いし、例えば、単一のＣＰＵ等が実行しても良い。
【００６５】
また、Ｌ２ＳＷ７に代えて、レイヤ３（ネットワーク層）でルーティング処理を行うＬ３ＳＷを用いても良い。また、表示位置は、画面上に分散されれば、必ずしもランダムでなくても良い。また、情報管理サーバに表示部を設けて、生成した表示情報を表示させても良い。
【産業上の利用可能性】
【００６６】
測位システムとして、ＧＰＳ等のほか、ＧＮＳＳ（Ｇｌｏｂａｌ  Ｎａｖｉｇａｔｉｏｎ  Ｓａｔｅｌｌｉｔｅ  Ｓｙｓｔｅｍ）等を用いる場合に適用できる。
【符号の説明】
【００６７】
１  災害情報報知システム
２  情報管理サーバ（情報管理装置）
３  移動端末
４  通信ネットワーク（ネットワーク）
５  ユーザ端末
８，４１，４２，４６，４７ａ，４７ｂ，…  基地局
９  制御部（表示位置分散化手段、距離算出手段、精度算出手段、乱数発生手段、精度選定手段）
１１  記憶部
Ｒａ，Ｓｂ，Ｓｃ  カバーエリア（通信エリア）
【図１】
2011172080.tif 000003
【図２】
2011172080.tif 000004
【図３】
2011172080.tif 000005
【図４】
2011172080.tif 000006
【図５】
2011172080.tif 000007
【図６】
2011172080.tif 000008
【図７】
2011172080.tif 000009
【図８】
2011172080.tif 000010
【図９】
2011172080.tif 000011
【図１０】
2011172080.tif 000012
【図１１】
2011172080.tif 000013
【図１２】
2011172080.tif 000014
【図１３】
2011172080.tif 000015
【図１４】
2011172080.tif 000016